(57)【要約】【課題】低電圧の電源によって駆動できるバランスミキサを実現する。【解決手段】エミッタが相互に接続され、ベース間に高周波信号が入力される二つのミキサトランジスタ１、２を有し、基準電流が通流する第一のトランジスタ５ａと、コレクタがミキサトランジスタ１、２のエミッタに接続されると共にエミッタが接地され、ベースが第一のトランジスタ５ａのベースに接続されて基準電流に比例する電流を出力する第二のトランジスタ５ｂと、第一のトランジスタ５ａに直列接続された第三のトランジスタ５ｃとを有するカレントミラー回路から構成される定電流回路５を設け、第三のトランジスタ５ｃのベースに局部発振信号ＬＯを入力した。【選択図】        図１
2005033355.tif 000002
【特許請求の範囲】
【請求項１】
エミッタが相互に接続され、ベース間に高周波信号が入力される二つのミキサトランジスタを有し、前記ミキサトランジスタのエミッタに局部発振信号を注入したことを特徴とするバランスミキサ。
【請求項２】
前記ミキサトランジスタにエミッタ電流を流すための定電流回路を設け、前記定電流回路に前記局部発振信号を入力して前記エミッタ電流を前記局部発振信号に同期して変化させたことを特徴とする請求項２に記載のバランスミキサ。
【請求項３】
前記定電流回路は基準電流が通流する第一のトランジスタと、コレクタが前記ミキサトランジスタのエミッタに接続されると共にエミッタが接地され、ベースが前記第一のトランジスタのベースに接続されて前記基準電流に比例する電流を出力する第二のトランジスタと、前記第一のトランジスタに直列接続された第三のトランジスタとを有するカレントミラー回路から構成され、前記第三のトランジスタのベースに前記局部発振信号を入力したことを特徴とする請求項２に記載のバランスミキサ。
【請求項４】
前記定電流回路はコレクタが前記ミキサトランジスタのエミッタに接続され、エミッタが接地された第四のトランジスタから構成され、前記第四のトランジスタのベースに前記局部発振信号を入力したことを特徴とする請求項２に記載のバランスミキサ。
【発明の詳細な説明】
【０００１】
【発明の属する技術分野】
本発明はバランスミキサに関する。
【０００２】
【従来の技術】
従来のバランスミキサとしては、図５に示すように局部発振信号ＬＯが入力される２対のトランジスタＱ１、Ｑ２及びＱ３、Ｑ４と、それらのエミッタに接続されて高周波信号ＲＦが入力される１対のトランジスタＱ５、Ｑ６とで構成されるギルバード・セル回路が知られている（例えば、特許文献１参照。）。
【０００３】
【特許文献１】
特開平７−４６０４５号公報（図１、図２）
【０００４】
【発明が解決しようとする課題】
上記構成においては、電源電圧は局部発振信号が入力される２対のトランジスタＱ１、Ｑ２及びＱ３、Ｑ４と、高周波信号が入力される１対のトランジスタＱ５、Ｑ６とに分配されるので、各トランジスタのコレクタ・エミッタ間に印加される電圧が低くなり、低電圧の電源によって駆動した場合には十分な性能を引き出すのが困難である。
【０００５】
本発明は、低電圧の電源によって駆動できるバランスミキサを実現することを目的とする。
【０００６】
【課題を解決するための手段】
上記課題を解決するため、本発明では、エミッタが相互に接続され、ベース間に高周波信号が入力される二つのミキサトランジスタを有し、前記ミキサトランジスタのエミッタに局部発振信号を注入した。
【０００７】
また、前記ミキサトランジスタにエミッタ電流を流すための定電流回路を設け、前記定電流回路に前記局部発振信号を入力して前記エミッタ電流を前記局部発振信号に同期して変化させた。
【０００８】
また、前記定電流回路は基準電流が通流する第一のトランジスタと、コレクタが前記ミキサトランジスタのエミッタに接続されると共にエミッタが接地され、ベースが前記第一のトランジスタのベースに接続されて前記基準電流に比例する電流を出力する第二のトランジスタと、前記第一のトランジスタに直列接続された第三のトランジスタとを有するカレントミラー回路から構成され、前記第三のトランジスタのベースに前記局部発振信号を入力した。
【０００９】
また、前記定電流回路はコレクタが前記ミキサトランジスタのエミッタに接続され、エミッタが接地された第四のトランジスタから構成され、前記第四のトランジスタのベースに前記局部発振信号を入力した。
【００１０】
【発明の実施の形態】
図１に本発明のバランスミキサの構成を示す。二つのミキサトランジスタ１、２のコレクタにはそれぞれ負荷抵抗３、４を介して電源電圧Ｖｃｃが印加される。ベース間には高周波信号ＲＦが入力される。エミッタは相互に接続されると共に定電流回路５に接続される。定電流回路５は基準電流が流れる第一のトランジスタ５ａと、基準電流に比例した出力電流が流れる第二のトランジスタ５ｂと、第一のトランジスタ５ａに直列接続された第三のトランジスタ５ｃとを有するカレントミラー回路で構成される。
【００１１】
第一のトランジスタ５ａのコレクタとベースとは相互に接続されると共に第二のトランジスタ５ｂのベースに接続される。そして、第一のトランジスタのコレクタには給電抵抗５ｄを介して電源電圧Ｖｃｃが印加され、エミッタは第三のトランジスタ５ｃのコレクタに接続される。第三のトランジスタ５ｃのエミッタは接地される。また、第二のトランジスタ５ｂのエミッタは接地され、コレクタはミキサトランジスタ１、２のエミッタに接続される。
【００１２】
以上の構成において、第三のトランジスタ５ｃのベースに与えるバイアス電圧によって第一のトランジスタ５ａ及び第三のトランジスタ５ｃに基準電流を流すと、第二のトランジスタ５ｂにはそれに比例する出力電流が流れる。よって、ミキサトランジスタ１、２のエミッタには一定の出力電流ＩＥが流れる。
【００１３】
この状態で第三のトランジスタ５ｃのベースに局部発振信号ＬＯを入力すると、基準電流が局部発振信号ＬＯに応じて変化し、それにともなってミキサトランジスタ１、２のエミッタにも図２に示すように出力電流ＩＥに重畳された局部発振信号ＬＯが流れる。よって、ミキサトランジスタ１、２のエミッタに局部発振信号ＬＯが注入されることになる。ミキサトランジスタ１、２のベース間には高周波信号ＲＦが与えれれていることから、それらのコレクタ間には、例えば周波数変換された中間周波信号が出力される。
【００１４】
また、第三のトランジスタ５ｃのベースにバイアス電圧を与えないで、定常状態ではこれをオフ隣るようにしておき、第三のトランジスタ５ｃを局部発振信号ＬＯによってその半サイクルでオンとなるように駆動すれば、ミキサトランジスタ１、２のエミッタには図３に示すようなエミッタ電流が流れる。この場合でも局部発振信号が注入されることになる。
【００１５】
図４はミキサトランジスタ１、２のエミッタとグランドとの間に定電流回路またはスイッチ手段としての第四のトランジスタ６を接続したものである。この場合も、第四のトランジスタ６のベースに与えるバイアス電圧によってミキサトランジスタ１、２に定電流ＩＥを流し、さらに第四のトランジスタ６のベースに局部発振信号を入力すればミキサトランジスタ１、２のエミッタには図２に示す電流が流れる。
【００１６】
また、第四のトランジスタ６のベースにバイアス電圧を与えないで、局部発振信号ＬＯによってその半サイクルでオンとなるように駆動すれば、ミキサトランジスタ１、２のエミッタには図３に示すようなエミッタ電流が流れる。この場合でも局部発振信号ＬＯが注入されることになる。図４の構成では第四のトランジスタ６のみで局部発振信号ＬＯを簡単に注入できる。
【００１７】
【発明の効果】
以上説明したように、本発明のバランスミキサは、エミッタが相互に接続され、ベース間に高周波信号が入力される二つのミキサトランジスタを有し、ミキサトランジスタのエミッタに局部発振信号を注入したので、ミキサトランジスタに印加する電圧を大きくできる。
【００１８】
また、ミキサトランジスタにエミッタ電流を流すための定電流回路を設け、定電流回路に局部発振信号を入力してエミッタ電流を局部発振信号に同期して変化させたので、局部発振信号をミキサトランジスタのエミッタに注入できる。
【００１９】
また、定電流回路は基準電流が通流する第一のトランジスタと、コレクタがミキサトランジスタのエミッタに接続されると共にエミッタが接地され、ベースが第一のトランジスタのベースに接続されて基準電流に比例する電流を出力する第二のトランジスタと、第一のトランジスタに直列接続された第三のトランジスタとを有するカレントミラー回路から構成され、第三のトランジスタのベースに局部発振信号を入力したので、ミキサトランジスタのエミッタ電流を局部発振信号に同期して変化させることができる。
【００２０】
また、定電流回路はコレクタがミキサトランジスタのエミッタに接続され、エミッタが接地された第四のトランジスタから構成され、第四のトランジスタのベースに局部発振信号を入力したので、構成が簡単である。
【図面の簡単な説明】
【図１】本発明のバランスミキサの構成を示す回路図である。
【図２】本発明のバランスミキサにおけるミキサトランジスタのエミッタ電流波形である。
【図３】本発明のバランスミキサにおけるミキサトランジスタのエミッタ電流波形である。
【図４】本発明のランスミキサの他の構成を示す回路図である。
【図５】従来のバランスミキサの構成を示す回路図である。
【符号の説明】
１、２  ミキサトランジスタ
３、４  負荷抵抗
５  定電流回路
５ａ  第一のトランジスタ
５ｂ  第二のトランジスタ
５ｃ  第三のトランジスタ
５ｄ  給電抵抗
６  第四の抵抗
【図１】
2005033355.tif 000003
【図２】
2005033355.tif 000004
【図３】
2005033355.tif 000005
【図４】
2005033355.tif 000006
【図５】
2005033355.tif 000007